(57)【特許請求の範囲】
【請求項１】
立設した壁面の取付孔に水栓本体を前方から装着する水栓の取付構造において、前記水栓本体と結合し壁面の取付孔に前方から配置する台座と、取付孔を挿通可能で壁面の裏側で回転自在とした一対の締結具と、該締結具と前記台座を連結し先端が台座の前方に突出するボルトにより取付部材を構成し、前記台座は取付孔の下部周縁に嵌合する落下防止用の支持溝を形成し、ボルトを壁面の前方から締め付け方向に操作すると壁面裏側の締結具は回転し、次に締結具は壁面に向けて前方に移動して台座との間で壁面を挟着することを特徴とする水栓の取付構造。
【請求項２】
立設した壁面の取付孔に水栓本体を前方から装着する水栓の取付構造において、前記水栓本体と結合し壁面の取付孔に前方から配置する台座と、取付孔を挿通可能で壁面の裏側で回転自在とした一対の締結具と、該締結具と前記台座を連結し先端が台座の前方に突出するボルトにより取付部材を構成し、前記締結具はボルトを一体に固定した縦長の軸部と弓状の案内孔を開口した湾曲部を備え、ボルトを壁面の前方から締め付け方向に操作すると壁面裏側の締結具は回転し、案内孔にボルトを挿通することで締結具の回転量を制限して壁面の取付孔周縁に向かい合うようにし、次に締結具は壁面に向けて前方に移動して台座との間で壁面を挟着することを特徴とする水栓の取付構造。
【発明の詳細な説明】
【０００１】
【発明の属する技術分野】
本発明は、流し台，洗面台，浴室等の立設した壁面に水栓を取り付ける構造に関する。
【０００２】
【従来の技術】
従来、水栓を流し台，洗面台，浴室等の立設した壁面に取り付ける場合に、壁面裏側の狭い空間で窮屈な姿勢により作業をしなくても前方からの作業だけで一人でも容易に取り付けられるようにしたものとして特開平９−１４４０８３号公報のものが提案されている。これは板状の取付金具により壁面の取付開口を囲い、該取付金具を前方から多数のビスを螺着して壁面に固着し、次に水栓本体を取付金具に掛止すると共に、壁面の前方からビスにより水栓本体を取付金具に螺合締付するものである。
【０００３】
このものは取付金具を壁面に固着するのにビスを用いている。従って多数のビスを壁面に螺合するのは作業が面倒であるうえ、壁面の材質によってはビスをうまくねじ込めなかったりビスの螺合により壁面に亀裂や割れが生じるという問題があった。
【０００４】
【発明が解決しようとする課題】
本発明が解決しようとする課題は、流し台，洗面台，浴室等に立設した壁面への水栓の取り付けを壁面の前方からのみの簡単な作業で、短時間且つ確実に行うことができるようにすることである。
【０００５】
【課題を解決するための手段】
本発明は請求項１では、立設した壁面の取付孔に水栓本体を前方から装着する水栓の取付構造において、前記水栓本体と結合し壁面の取付孔に前方から配置する台座と、取付孔を挿通可能で壁面の裏側で回転自在とした一対の締結具と、該締結具と前記台座を連結し先端が台座の前方に突出するボルトにより取付部材を構成し、前記台座は取付孔の下部周縁に嵌合する落下防止用の支持溝を形成し、ボルトを壁面の前方から締め付け方向に操作すると壁面裏側の締結具は回転し、次に締結具は壁面に向けて前方に移動して台座との間で壁面を挟着するものである。
【０００６】
また、請求項２では、立設した壁面の取付孔に水栓本体を前方から装着する水栓の取付構造において、前記水栓本体と結合し壁面の取付孔に前方から配置する台座と、取付孔を挿通可能で壁面の裏側で回転自在とした一対の締結具と、該締結具と前記台座を連結し先端が台座の前方に突出するボルトにより取付部材を構成し、前記締結具はボルトを一体に固定した縦長の軸部と弓状の案内孔を開口した湾曲部を備え、ボルトを壁面の前方から締め付け方向に操作すると壁面裏側の締結具は回転し、案内孔にボルトを挿通することで締結具の回転量を制限して壁面の取付孔周縁に向かい合うようにし、次に締結具は壁面に向けて前方に移動して台座との間で壁面を挟着するものである。
【０００９】
【発明の実施の形態】
以下、本発明の実施の形態を図に基づいて詳細に説明する。
本発明は水栓本体Ａを流し台，洗面台，浴室等に立設した壁面Ｂに装着するための取付部材Ｄとして、図１及び図２に示すように壁面Ｂの前方に配置する台座１、該台座１から壁面Ｂの取付孔Ｃに挿通する４本のボルト９、及び該ボルト９により台座１に保持され台座１との間で壁面Ｂの取付孔Ｃ周縁を挟着する一対の締結具１２を備えている。
【００１０】
前記台座１は壁面Ｂの前後方向に開口した取付孔Ｃを前方から覆う外形で長方形の枠状に形成され、前面の垂直部２には左右の上下両端にそれぞれ間隔をおいて後述する締結具１２に螺着又は挿通したボルト９の雄ねじ部１０を挿通する挿通孔３を水平方向に貫通してそれぞれ穿設し、左右の側部外周には水栓本体Ａのビス孔と連通し側部からビス７を螺着するビス孔４をそれぞれ穿設し、底部の左右両端から後方に突起部５を突出し、該突起部５は前記壁面Ｂの取付孔Ｃ周縁に対し上下に嵌合する落下防止用の支持溝５ａを形成し、中央に給水管８及び給湯管を挿通する通孔６を開口している。
【００１１】
前記ボルト９は雄ねじ部１０を後述する締結具１２のねじ孔１４に螺着又は案内孔１６に挿通し、先端を台座１の挿入孔３に挿通して台座１の前方側からナット１１を雄ねじ部１０に螺着することで、一対の締結具１２は台座１に保持されるものである。
【００１２】
前記締結具１２は台座１の左右両側と前後に向かい合い上下逆向きに取り付けるように一対設けられ、板状で縦長の軸部１３と円弧状の湾曲部１５を備えており、この一対の締結具１２は左右に並べて壁面Ｂの取付孔Ｃを同時に通過できる大きさ及び形状であり、軸部１３の先端に穿設したねじ孔１４にはボルト９の雄ねじ部１０を螺着して一体に固定し、湾曲部１５には前記ボルト９に対し垂直の位置で間隔をおいて取り付けたもう一方のボルト９の雄ねじ部１０を移動自在に挿通し、該雄ねじ部１０より大径に形成した頭部１０ａを裏側から係止した案内孔１６を弓状に開口している。この案内孔１６は締結具１２のねじ孔１４に螺着したボルト９を台座１の前方からナット１１により回転させた場合に、締結具１２は壁面Ｂの裏側から取付孔Ｃ周縁と前後に向かい合い、必ず取付孔Ｃの周縁を挟着できる位置に停止できるように締結具１２の回転量を制限できるものである。
【００１３】
従って、取付部材Ｄを壁面Ｂに前方から装着する際には、各ボルト９に螺着した締結具１２は取付孔Ｃより内側に位置させることができるので取付孔Ｃに挿入可能であり、その後台座１の前方でボルト９に螺着したナット１１を締め付け方向に操作すると、締結具１２はボルト９と共に回転し、取付孔Ｃ周縁と前後に当たるように向かい合い、壁面Ｂを裏側から挟着可能なようにしている。
【００１４】
本発明において水栓本体Ａを流し台，洗面台，浴室等の壁面Ｂに取り付けるには、まず取付部材Ｄを壁面Ｂの前方から取付孔Ｃに装着する。即ち図１に示す取付部材Ｄの締結具１２及びボルト９の雄ねじ部１０を取付孔Ｃに挿通し、支持溝５ａを取付孔Ｃの下部周縁に嵌合させ取付部材Ｄが壁面Ｂから落下しないようにしておく。なお、この時締結具１２は取付孔Ｃを通過できるように取付孔Ｃより内側へ予め回転させておく。続いてボルト９に螺着しているナット１１を台座１の左側は上部のみを、右側は下部のみを工具により締め付け方向に操作すると締結具１２はボルト９と共に同一方向に回転し、案内孔１６の内周縁が該案内孔１６に挿通しているボルト９の雄ねじ部１０に当接したところで締結具１２は回転を停止するが、この時締結具１２の軸部１３及び湾曲部１５は壁面Ｂの取付孔Ｃ周縁と前後に向かい合う。
【００１５】
次に左右のナット１１をそれぞれ上下同時にボルト９を締め付ける方向に操作すると、締結具１２は取付孔Ｃ周縁と向かい合った状態で回転しないままねじ孔１４に螺着したボルト９と共に壁面Ｂに裏側から接近し、図３及び図４に示すように取付部材Ｄは台座１と締結具１２の間で壁面Ｂを挟着することができる。
【００１６】
さらに図５に示すように台座１の前方から水栓本体Ａの後部を嵌合し、且つ給水管８及び給湯管を取付孔Ｃに挿通し台座１の両ビス孔４と水栓本体Ａのビス孔を向かい合わせて一致させ、工具により左右両側から両ビス７をそれぞれ螺着すれば水栓本体Ａを取付部材Ｄに結合することができる。このように水栓本体Ａと取付部材Ｄは壁面Ｂの前方からだけの作業で取付可能である。
【００１７】
図６乃至図８は本発明の別の実施例である。この実施例では取付部材Ｄ１と水栓本体Ａ１を予め一体に結合しておき、この水栓本体Ａ１を壁面Ｂに取り付けるものである。
【００１８】
即ち水栓本体Ａ１の下部に結合した台座１ａに前記実施例と同一の締結具１２を保持し、台座１ａの水平方向に穿設した４個の挿入孔３ａにそれぞれボルト９ａを挿通し、台座１ａの前方からボルト９ａに螺着したナット１１を工具により締め付け方向に操作すれば水栓本体Ａ１を壁面Ｂに固定することができる。
【００１９】
また、この実施例では取付部材Ｄ１のボルト９ａ及びナット１１が外部に露出して見栄えが悪いので、カバー１７によりボルト９ａ及びナット１１を覆うようにしている。
【００２０】
【発明の効果】
本発明においては、水栓本体を固定する取付部材を立設した壁面の取付孔に装着する際に、ボルトを壁面の前方から締め付け方向に操作すると壁面裏側の締結具は回転し、次に締結具は壁面に向けて前方に移動して台座との間で壁面を挟着することができる。従って、従来のように取付部材を壁面に固着する際にビスを壁面に螺合する必要がなく壁面に亀裂や割れが生じるということもないので、水栓本体をがたつき，ゆるみのない状態で確実に壁面に取り付けることができる。
【００２１】
また、台座は取付孔の下部周縁に嵌合する落下防止用の支持溝を形成したので、取付部材を壁面に装着する際に壁面から簡単に落下することがない。
【００２２】
さらに請求項２では、締結具はボルトを一体に固定した縦長の軸部と弓状の案内孔を開口した湾曲部を備え、案内孔にボルトを挿通することで締結具の回転量を制限し、壁面の取付孔周縁に向かい合うようにしたので、締結具と台座の間で壁面を確実に挟着することができる。
【図面の簡単な説明】
【図１】取付部材の斜視図である。
【図２】取付部材の分解斜視図である。
【図３】取付部材を壁面に装着した状態の裏側からの斜視図である。
【図４】取付部材を壁面に装着した状態の表側からの斜視図である。
【図５】水栓本体を取付部材に結合した状態の一部断面図である。
【図６】別の実施例による取付部材を結合した水栓本体の裏側からの斜視図である。
【図７】図６の水栓本体を壁面に取り付けた状態の一部断面図である。
【図８】図７の水栓本体にカバーを取り付けた状態の説明図である。
【符号の説明】
１，１ａ            台座
５ａ            支持溝
９，９ａ        ボルト
１２            締結具
１３            軸部
１５            湾曲部
１６            案内孔
Ａ，Ａ１        水栓本体
Ｂ              壁面
Ｃ              取付孔
Ｄ，Ｄ１        取付部材
【図１】
0004297389.tif 000002
【図２】
0004297389.tif 000003
【図３】
0004297389.tif 000004
【図４】
0004297389.tif 000005
【図５】
0004297389.tif 000006
【図６】
0004297389.tif 000007
【図７】
0004297389.tif 000008
【図８】
0004297389.tif 000009